(57)【要約】【課題】移動可能なレンズ鏡筒を有する構成において、レンズ鏡筒の移動抵抗を生じることがなく、またレンズ鏡筒を構成する部品点数を増すことがなく、レンズ鏡筒に伝わる静電気を確実に所定のグランドに落とす。【解決手段】レンズ鏡筒５１の外周面に設けた導電性部５１４に近接した位置であって移動するレンズ鏡筒５１に対して静止して設けてあり、カメラ内部の電気部６に設けたグランドと電気的に接続される導電性のアース部材９を備える。この結果、導電性部５１４に接触する構成がないため、レンズ鏡筒５１が移動する際に移動抵抗を生じることがなく、導電性部５１４に伝わった静電気を確実にグランドに落とす。また、アース部材９は、導電性を有する外装カバー２，３を介してグランドに接続してある。この結果、レンズ鏡筒の内部にフレキシブル基板を設けて静電気をグランドに落とす構成と比較してレンズ鏡筒５１を構成する部品点数を増すことがない。【選択図】        図１
2006153993.tif 000002
【特許請求の範囲】
【請求項１】
内部に設けた電気部と、外部に露出する態様で撮影光学系の光軸方向に移動可能に設けてあって外周面に導電性部を有したレンズ鏡筒とを備えるカメラにおいて、
前記レンズ鏡筒に対して静止して前記導電性部に近接した位置に設けてあり、前記電気部に設けたグランドと電気的に接続される導電性のアース部材を備えたことを特徴とするカメラ。
【請求項２】
前記アース部材は、前記レンズ鏡筒が移動する通過位置において前記レンズ鏡筒の外周面を取り囲む態様で形成してあり、前記レンズ鏡筒の外周面に向かって延在して前記導電性部に最も近接する突起部を有してなることを特徴とする請求項１に記載のカメラ。
【請求項３】
前記アース部材は、前記突起部を複数設けたことを特徴とする請求項２に記載のカメラ。
【請求項４】
前記導電性部は、前記レンズ鏡筒の全移動範囲において前記アース部材に対して近接する態様で設けてあることを特徴とする請求項１〜３のいずれか一つに記載のカメラ。
【請求項５】
前記レンズ鏡筒は、移動可能な主鏡枠と、前記主鏡枠の内部に収納されて主鏡枠に対して移動可能な１つ以上の副鏡枠とを有し、前記主鏡枠および副鏡枠の外周面には互いに近接する態様でそれぞれ導電性部を有することを特徴とする請求項１〜４のいずれか一つに記載のカメラ。
【請求項６】
導電性を有する外装カバーを備え、前記アース部材は前記外装カバーを介して前記グランドに接続してあることを特徴とする請求項１〜５のいずれか一つに記載のカメラ。
【請求項７】
前記レンズ鏡筒を覆って保護する態様で移動可能な導電性のレンズバリアを備え、前記アース部材は前記レンズバリアとも電気的に接続してあることを特徴とする請求項１〜６のいずれか一つに記載のカメラ。
【請求項８】
内部に設けた電気部と、外部に露出する態様で撮影光学系の光軸方向に移動可能に設けてあって外周面に導電性部を有したレンズ鏡筒とを備えるカメラにおいて、
移動する前記レンズ鏡筒を挿通可能に支持する基枠に対し、前記レンズ鏡筒の外周面を取り囲む態様で取り付けられ、前記レンズ鏡筒の外周面に向かって延在して前記導電性部に最も近接する突起部を有する一方、前記レンズ鏡筒を通過させる開口を設けた導電性を有する外装カバーに対し、当該外装カバーの内面に接触して前記外装カバーを介して前記電気部に設けたグランドと電気的に接続した導電性のアース部材を備えたことを特徴とするカメラ。
【請求項９】
内部に電気部を有するカメラに対して当該カメラの外部に露出する態様で撮影光学系の光軸方向に移動可能に設けてあり、その外周面に導電性部を有したレンズ鏡筒を備えるレンズ装置において、
前記レンズ鏡筒に対して静止して前記導電性部に近接した位置で前記カメラに取り付けられて、前記電気部に設けたグランドと電気的に接続される導電性のアース部材を備えたことを特徴とするレンズ装置。
【発明の詳細な説明】
【技術分野】
【０００１】
本発明は、レンズ鏡筒を介しての静電気による内部電気回路への影響を防止するようにしたカメラおよびレンズ装置に関するものである。
【背景技術】
【０００２】
カメラは、手で持って操作されるもので、人体の静電気がレンズ鏡筒からカメラ内部の電気回路に侵入するおそれがある。そして、この静電気によってカメラが誤動作したり、電気回路を構成するＣＰＵ（Ｃｅｎｔｒａｌ  Ｐｒｏｃｅｓｓｉｎｇ  ｕｎｉｔ）などが破壊されることがある。
【０００３】
従来では、カメラモジュールとして、レンズユニットを覆うシールドキャップを導電性材料によって形成し、当該シールドキャップをグランドに対して電線を介して電気的に接続してある。あるいは、レンズユニットおよび固体撮像素子を保持するレンズホルダを導電性材料によって形成し、当該レンズホルダをグランドに対して電気的に接続してある（例えば、特許文献１参照）。
【０００４】
別の従来では、レンズ鏡筒として、レンズ鏡筒の前面部に備えられる薄板状の金属部材と、レンズ鏡筒内部の駆動機構にメイン基板を電気的に接続するフレキシブルプリント基板のグランドパターンとを電気的に接続する導電部材（圧縮バネ）をレンズ鏡筒に貫通するように配置してある（例えば、特許文献２参照）。
【０００５】
さらに別の従来では、カメラのレンズ鏡胴として、固定保持枠に取付けた金属製の中継部材に、カメラの前カバーに接触させてグランド接地させる弾性片部と、シャッタユニットに配線するフレキシブル回路基板のグランドラインに接続する接続片部とを設け、この中継部材に挟持してレンズ鏡胴を構成する第１移動枠の金属性外周面カバーに接触させた導電性部材によって外周面カバーの静電気を放電させる。また、フレキシブル回路基板のグランドラインに接続した電気連結部材を金属製前面カバーに接触させ、レンズ鏡胴を構成する第２移動枠の金属性外周面カバーと前面カバーとの静電気を放電させる（例えば、特許文献３参照）。
【０００６】
【特許文献１】特開２００３−１７２８５９号公報
【特許文献２】特開２００３−２１５４２５号公報
【特許文献３】特開２００２−３５７７５７号公報
【発明の開示】
【発明が解決しようとする課題】
【０００７】
しかしながら、特許文献１参照の従来の構成では、固定のレンズユニットに適用してあり、ズームやオートフォーカスのために光軸方向に進退するレンズ鏡筒に適用するための構成がない。また、特許文献２および３参照の従来の構成は、フレキシブル基板を介在することによって光軸方向に移動するレンズ鏡筒に適用している。しかし、レンズ鏡筒の金属外装とフレキシブル基板とを接続させると、レンズ鏡筒を構成する部品点数が多く組み立て構造が複雑になる。さらに、特許文献３参照の従来の構成は、弾性を有する導電性部材を介してレンズ鏡筒に物理的に接触する態様で電気的な接続を行っているため、光軸方向に移動するレンズ鏡筒においては接触によって摩擦負荷が大きくなってレンズ鏡筒の移動抵抗を生じて消費電力が多くなってしまうことになる。
【０００８】
本発明は、上記に鑑みてなされたものであって、光軸方向に移動可能なレンズ鏡筒を有する構成において、レンズ鏡筒の移動抵抗を生じることがなく、またレンズ鏡筒を構成する部品点数を増すことがなく、レンズ鏡筒に伝わる静電気を確実に所定のグランドに落とすことができるカメラ及びレンズ装置を提供することを目的とする。
【課題を解決するための手段】
【０００９】
上述した課題を解決し、目的を達成するために、本発明の請求項１に係るカメラは、内部に設けた電気部と、外部に露出する態様で撮影光学系の光軸方向に移動可能に設けてあって外周面に導電性部を有したレンズ鏡筒とを備えるカメラにおいて、前記レンズ鏡筒に対して静止して前記導電性部に近接した位置に設けてあり、前記電気部に設けたグランドと電気的に接続される導電性のアース部材を備えたことを特徴とする。
【００１０】
本発明の請求項２に係るカメラは、上記請求項１において、前記アース部材は、前記レンズ鏡筒が移動する通過位置において前記レンズ鏡筒の外周面を取り囲む態様で形成してあり、前記レンズ鏡筒の外周面に向かって延在して前記導電性部に最も近接する突起部を有してなることを特徴とする。
【００１１】
本発明の請求項３に係るカメラは、上記請求項２において、前記アース部材は前記突起部を複数設けたことを特徴とする。
【００１２】
本発明の請求項４に係るカメラは、上記請求項１〜３のいずれか一つにおいて、前記導電性部は、前記レンズ鏡筒の全移動範囲において前記アース部材に対して近接する態様で設けてあることを特徴とする。
【００１３】
本発明の請求項５に係るカメラは、上記請求項１〜４のいずれか一つにおいて、前記レンズ鏡筒は、移動可能な主鏡枠と、前記主鏡枠の内部に収納されて主鏡枠に対して移動可能な１つ以上の副鏡枠とを有し、前記主鏡枠および副鏡枠の外周面には互いに近接する態様でそれぞれ導電性部を有することを特徴とする。
【００１４】
本発明の請求項６に係るカメラは、上記請求項１〜５のいずれか一つにおいて、導電性を有する外装カバーを備え、前記アース部材は前記外装カバーを介して前記グランドに接続してあることを特徴とする。
【００１５】
本発明の請求項７に係るカメラは、上記請求項１〜６のいずれか一つにおいて、前記レンズ鏡筒を覆って保護する態様で移動可能な導電性のレンズバリアを備え、前記アース部材は前記レンズバリアとも電気的に接続してあることを特徴とする。
【００１６】
本発明の請求項８に係るカメラは、内部に設けた電気部と、外部に露出する態様で撮影光学系の光軸方向に移動可能に設けてあって外周面に導電性部を有したレンズ鏡筒とを備えるカメラにおいて、移動する前記レンズ鏡筒を挿通可能に支持する基枠に対し、前記レンズ鏡筒の外周面を取り囲む態様で取り付けられ、前記レンズ鏡筒の外周面に向かって延在して前記導電性部に最も近接する突起部を有する一方、前記レンズ鏡筒を通過させる開口を設けた導電性を有する外装カバーに対し、当該外装カバーの内面に接触して前記外装カバーを介して前記電気部に設けたグランドと電気的に接続した導電性のアース部材を備えたことを特徴とする。
【００１７】
上述した課題を解決し、目的を達成するために、本発明の請求項９に係るレンズ装置は、内部に電気部を有するカメラに対して当該カメラの外部に露出する態様で撮影光学系の光軸方向に移動可能に設けてあり、その外周面に導電性部を有したレンズ鏡筒を備えるレンズ装置において、前記レンズ鏡筒に対して静止して前記導電性部に近接した位置で前記カメラに取り付けられて、前記電気部に設けたグランドと電気的に接続される導電性のアース部材を備えたことを特徴とする。
【発明の効果】
【００１８】
本発明に係るカメラは、レンズ鏡筒に対して静止して導電性部に近接した位置に設けてあり、電気部に設けたグランドと電気的に接続される導電性のアース部材を備えた。すなわち、レンズ鏡筒の導電性部に接触する構成がない。この結果、レンズ鏡筒が移動する際に移動抵抗を生じる事態を防いだ上で、導電性部に伝わった静電気を確実にグランドに落とすことができる。
【発明を実施するための最良の形態】
【００１９】
以下に添付図面を参照して、本発明に係るカメラおよびレンズ装置の好適な実施の形態を詳細に説明する。なお、この実施の形態によりこの発明が限定されるものではない。
【００２０】
図１は本発明に係る実施の形態のカメラのレンズ鏡筒を延ばした状態を示す横断面図、図２は図１に示したカメラのレンズ鏡筒を縮めた状態を示す横断面図、図３は図１に示したカメラの前カバーを外した状態の前面図、図４は図１に示したカメラの分解斜視図、図５は図１に示したカメラの別方向から見た分解斜視図である。
【００２１】
図１に示すように本実施の形態におけるカメラは、基枠１の前側に対して外装カバーとしての前カバー２が設けてあり、基枠１の後側に対して外装カバーとしての後カバー３が設けてある。
【００２２】
まず、基枠１は、合成樹脂材からなるカメラの筐体として構成してある。図１および図２に示すように基枠１の内部には、レンズ装置５が設けてある。レンズ装置５は、レンズ鏡筒５１と、不図示の鏡筒駆動部と、撮像素子５３とを有している。
【００２３】
レンズ鏡筒５１は、カメラの撮影時には図１に示すように基枠１の前側に形成した挿通孔１１に挿通して前側に向けて突出してカメラの外部に露出する一方、カメラの非撮影時（携帯時）には図２に示すように基枠１の内部に収納される態様で撮影光学系の光軸Ｓ方向（基枠１の前後方向）に移動可能に設けてある。この移動に関してレンズ鏡筒５１は、基枠１に対して移動可能に設けた円筒状の主鏡枠５１１と、当該主鏡枠５１１の内部に収納されて主鏡枠５１１に対して移動可能に設けた円筒状の副鏡枠５１２とを有している。本実施の形態におけるレンズ装置５では、副鏡枠５１２を２つ有した構成であって、主鏡枠５１１に対して移動可能に設けた副鏡枠５１２の内部に収納されて移動可能に設けた副鏡枠５１２をさらに有している。各副鏡枠５１２には、それぞれ２枚のレンズ５１３を収容してある。そして、主鏡枠５１１および各副鏡枠５１２を光軸Ｓ方向に移動させることで、焦点距離が最も短いワイド状態と、焦点距離が最も長いテレ状態との間でズームおよびフォーカスを調整する。
【００２４】
レンズ鏡筒５１を構成する主鏡枠５１１および各副鏡枠５１２は、上述したように円筒状に形成してある。具体的に主鏡枠５１１および各副鏡枠５１２は、合成樹脂材によって円筒状に形成してあり、その外周面をなす全ての円周面および前端縁が導電性を有した金属材（例えばアルミ材）からなる板状の導電性部５１４によって被覆してある。そして、主鏡枠５１１の前端縁にある導電性部５１４と、副鏡枠５１２の外周面にある導電性部５１４とは、互いに近接して設けてある。さらに、副鏡枠５１２の前端縁にある導電性部５１４と、当該副鏡枠５１２の内部に収納される副鏡枠５１２の外周面にある導電性部５１４とは、互いに近接して設けてある。また、最も前側に突出する副鏡枠５１２の前端縁は、収容したレンズ５１３を表出する態様で内側に向けて延在してあり、その前面にも導電性部５１４が設けてある。なお、導電性部５１４は、レンズ鏡筒５１を構成する主鏡枠５１１および副鏡枠５１２の全周面に設けてある。すなわち、導電性部５１４は、全移動範囲において相互の導電性部５１４の間を近接した状態としてある。なお、レンズ鏡筒５１（主鏡枠５１１および副鏡枠５１２）は、上述した円筒状に限らない。
【００２５】
また、基枠１に形成した挿通孔１１の縁部には、主鏡枠５１１の移動に際し当該縁部に対して主鏡枠５１１に設けた導電性部５１４の接触を防止しつつ、その間の防滴性を備えるパッキン材５１５が設けてある。同様に、主鏡枠５１１の前端内縁には、主鏡枠５１１およびその内側の副鏡枠５１２の移動に際し当該前端内縁に対して副鏡枠５１２に設けた導電性部５１４の接触を防止しつつ、その間の防滴性を備えるパッキン材５１５が設けてある。さらに同様に、外側の主鏡枠５１１の前端内縁には、各種鏡枠５１１の移動に際し当該前端内縁に対して内側の副鏡枠５１２に設けた導電性部５１４の接触を防止しつつ、その間の防滴性を備えるパッキン材５１５が設けてある。
【００２６】
鏡筒駆動部は、例えばステッピングモータなどからなり、基枠１の内部であってレンズ鏡筒５１の側部に配置してあって不図示の駆動伝達機構を介してレンズ鏡筒５１を収納・突出動作させる。
【００２７】
撮像素子５３は、例えばＣＣＤ（Ｃｈａｒｇｅ  Ｃｏｕｐｌｅｄ  Ｄｅｖｉｃｅｓ）などからなり、基枠１の内部であってレンズ鏡筒５１の後側の位置にて撮影光学系の光軸Ｓ上に配置してある。
【００２８】
また、基枠１の内部には、図１および図２に示すように電気部６が設けてある。電気部６は、レンズ装置５の側部（図１における左側）も配置してあって、画像処理基板６１、電源基板６２および電池ケース６３を有してなる。画像処理基板６１は基枠１の内部の前側に配置してあり、電池ケース６３は基枠１の内部の後側に配置してあり、電源基板６２はその間に配置してある。なお、符号６４は、図示しないフラッシュ充電用のコンデンサである。
【００２９】
図には明示しないが、画像処理基板６１には、高周波部品である電気回路が配置してある。具体的に画像処理基板６１には、例えばＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）などの集積回路を含む画像処理回路、発振素子、中央処理部（ＣＰＵ）および記録媒体（メモリ）が設けてある。また、電源基板６２には、画像処理基板６１などに電源を供給する電源回路が設けてある。この電源基板６２には、電気部６全体に係るグランドが設けてある。また、電池ケース６３には、電池が収容される。なお、電源基板６２は、電池ケース６３に一体に取り付けてある。
【００３０】
また、基枠１の前側には、図１〜図３に示すようにバリア部７が設けてある。バリア部７は、円板状のレンズバリア７１を有している。レンズバリア７１は、図１および図３に示すようにカメラの撮影時には、レンズ鏡筒５１の前側から退いた退避位置に位置する一方、図２に示すようにカメラの非撮影時（携帯時）には、基枠１の内部に収納されたレンズ鏡筒５１の前側を覆う被覆位置に位置する態様で移動可能に設けてある。レンズバリア７１の移動に関して、図３に示すように基枠１の前側にレンズバリア７１の移動方向に延在する棒状の案内ロッド７２が設けてある。この案内ロッド７２には、レンズバリア７１と一体で形成されて当該レンズバリア７１を支持するバリア支持部７３が摺動可能に設けてある。バリア支持部７３は、図示しないバリア駆動機構によって案内ロッド７２に沿って摺動する。これによりレンズバリア７１が、退避位置と被覆位置との間を移動する。なお、レンズバリア７１の移動は、図には明示しないが、カメラの主電源をＯＮ／ＯＦＦするスライド式電源スイッチのスライド移動に伴って移動する形態、あるいは、電源スイッチによる電源のＯＮ／ＯＦＦに同期したモータの駆動によって移動する形態などがある。また、レンズバリア７１、案内ロッド７２およびバリア支持部７３は、いずれも導電性を有した金属材によって形成してあり、例えばレンズバリア７１、案内ロッド７２およびバリア支持部７３がステンレス材によって形成してある。
【００３１】
また、基枠１の外部には、図３に示すように外周帯８が設けてある。外周帯８は、導電性を有する金属材（例えばステンレス材）からなる板体であって、図３において略矩形状の外形を呈する基枠１の当該外形に沿う態様で図面上の右下隅部から左上隅部に至り連続して設けてある。
【００３２】
また、基枠１の外部であって、図１および図２に示すように図面上の左側には、外部機器との接続を行う接続端子（図示せず）を覆う蓋部材１２が設けてある。
【００３３】
次に、前カバー２は、図１および図２に示すように上述した基枠１の前側を覆う態様で基枠１に取り付けてある。前カバー２は、導電性を有する金属材（例えばアルミ材）によって形成してある。前カバー２には、前側に突出したレンズ鏡筒５１を通過させる円形の開口２１が設けてある。また、前カバー２は、上述したバリア部７を覆い、退避位置にあるレンズバリア７１を覆う一方、被覆位置にあるレンズバリア７１によって開口２１が閉塞される。
【００３４】
次に、後カバー３は、図１および図２に示すように上述した基枠１の後側を覆う態様で基枠１に取り付けてある。後カバー３は、合成樹脂材からなる基材３１の後面に導電性を有する金属材（例えばアルミ材）で形成した被覆体３２被覆してなる。この後カバー３には、撮像表示体３３および操作部３４が設けてある。
【００３５】
撮像表示体３３は、例えば液晶ディスプレイなどであって、後カバー３の外側（後側）に透明板３３１を介して表出して設けてある。また、図には明示しないが、撮像表示体３３の前側には、ディスプレイドライバを有したディスプレイ基板が設けてある。操作部３４は、カメラにおけるレンズ装置５のズームや撮像表示体３３などにおける操作を行うスイッチ類であって、後カバー３の外側（後側）に表出して設けてある。操作部３４は、後カバー３の内側（前側）に取り付けた操作部基板３４１に設けてある。また、後カバー３において、その内側（前側）の面には、撮像表示体３３および操作部基板３４１を覆う態様で導電性を有する金属材（例えばステンレス材）からなる後板３５が設けてある。
【００３６】
上述のごとく構成したカメラにおいて、図３〜図５に示すように基枠１の前面であって挿通孔１１の周囲には、アース部材９が設けてある。アース部材９は、導電性を有する金属材（例えばステンレス材やアルミ材）からなる板体であって、挿通孔１１の周縁部に沿って円弧状に形成してある。すなわち、アース部材９は、挿通孔１１に挿通するレンズ鏡筒５１（主鏡枠５１１）の外周面を取り囲む態様で設けてあり、レンズ鏡筒５１に対して静止した状態で、当該レンズ鏡筒５１の外周面に設けた導電性部５１４に近接した位置に設けてある。
【００３７】
アース部材９は、突起部９１を有している。突起部９１は、レンズ鏡筒５１（主鏡枠５１１）の外周面に向かって延在して導電性部５１４に対して最も近接する。すなわち、突起部９１は、導電性を有する金属材のなかで、レンズ鏡筒５１の外周面に設けた導電性部５１４に最も近接するものである。突起部９１は、例えば０．１ｍｍ〜０．２ｍｍ程度の間隔で導電性部５１４に近接している。この突起部９１は、レンズ鏡筒５１の外周面を取り囲む位置で複数（本実施の形態では２つ）設けてある。なお、導電性部５１４は、レンズ鏡筒５１を構成する主鏡枠５１１および副鏡枠５１２の全周面に設けてある。すなわち、導電性部５１４は、全移動範囲においてアース部材９の突起部９１に対して近接する態様で設けてある。
【００３８】
アース部材９は、接触部９２を有している。接触部９２は、基枠１の前面よりも前方に向かって延在して設けてある。そして、図１に示すように基枠１に前カバー２を取り付けた状態において前カバー２の内面に接触する。前カバー２は導電性を有する金属材からなる。すなわち、接触部９２を介してアース部材９と前カバー２とが電気的に接続されることになる。
【００３９】
アース部材９は、上述したバリア部７の案内ロッド７２に連結してある。具体的には、アース部材９は、案内ロッド７２の端部に接触する連結部９３を有している。バリア部７を構成するレンズバリア７１、案内ロッド７２およびバリア支持部７３は、いずれも導電性を有した金属材によって形成してある。すなわち、連結部９３を介してアース部材９とバリア部７とが電気的に接続されることになる。
【００４０】
また、上述のごとく構成したカメラは、アース部材９を電気部６に設けた所定のグランドに接続するために導電性を有する金属材（例えばアルミ材）からなる第１アース片９４、第２アース片９５および第３アース片９６を有している。所定のグランドは、図５に示すように電気部６の電源基板６２において配線パターンとして設けたグランドラインＧである。
【００４１】
第１アース片９４は、図４に示すようにカメラの前後方向に沿って長手状に形成してある。そして、第１アース片９４の前端側には、二股状に形成された前側接触部９４１が設けてある。また、第１アース片９４の後端側には、板片状に形成された後側接触部９４２が設けてある。さらに、第１アース片９４の長手方向のほぼ中央には、通孔９４３が設けてある。
【００４２】
第２アース片９５は、図４および図５に示すようにカメラの前後方向に沿って長手状に形成してある。そして、第２アース片９５の前端側には、通孔９５１が設けてある。また、第２アース片９５の後端側には、板片状に形成された後側接触部９５２が設けてある。さらに、第２アース片９５の長手方向のほぼ中央には、湾曲形成された中央接触部９５３が設けてある。
【００４３】
第３アース片９６は、図５に示すように３方向に延在する三又形状に形成してあり、カメラの前側に延在する部位にはグランド通孔９６１、カメラの後側に延在する部位には後側接触部９６２、およびカメラの上側に延在する部位には上部通孔９６３が設けてある。
【００４４】
なお、第３アース片９６は、予め電気部６に取り付けてある。具体的には、第３アース片９６は、電気部６における電源基板６２のグランドラインＧの位置に設けたネジ孔（図示せず）にグランド通孔９６１を合わせて導電性を有した固定ネジ１００を螺着することによって、グランドラインＧに電気的に接続される。このとき、第３アース片９６は、電源基板６２と一体にした電池ケース６３の側部に設けたネジ孔（図示せず）の部位に上部通孔９６３が位置する。さらに、第３アース片９６は、後側接触部９６２が電池ケース６３の後側に向けて延在する。そして、第３アース片９６が取り付けられた電源基板６２および電池ケース６３は、基枠１の内部に取り付けられる。
【００４５】
上記第１アース片９４、第２アース片９５および第３アース片９６は、カメラの基枠１への外周帯８の取り付け、基枠１への前カバー２の取り付け、基枠１への後カバー３の取り付けの際に、それぞれ所定の接続関係の位置に配置される。
【００４６】
外周帯８には、図４に示すように一端部に通孔８１が設けてあり、図５に示すように他端部に通孔８２が設けてある。これに対して基枠１には、外周帯８の通孔８１に対応した位置にネジ孔（図示せず）および外周帯８の通孔８２に対応した通孔（図示せず）が設けてある。また、前カバー２には、図４に示すように正面視で略矩形状の外形を呈する右下隅部近傍に通孔２２、左上隅部近傍に通孔２３が設けてある。これに対して基枠１には、前カバー２の各通孔２２，２３に対応した位置にネジ孔１３（図４参照）およびネジ孔１４（図５参照）が設けてある。また、後カバー３には、図４に示すように正面視で略矩形状の外形を呈する各隅部近傍にそれぞれネジ孔３６が設けてある。これに対して基枠１には、後カバー３の各ネジ孔３６に対応した位置にそれぞれ通孔１５（図４および図５参照）が設けてある。
【００４７】
まず、基枠１に外周帯８を取り付ける。この際、図３および図４に示すように第１アース片９４を基枠１と外周帯８との間に挿通する。そして、図４に示すように導電性を有した固定ネジ１０１を外周帯８の通孔８１、および第１アース片９４の通孔９４３に通して基枠１のネジ孔に螺着する。これにより、第１アース片９４は、基枠１と外周帯８との間に挟持されつつ、二股状の前側接触部９４１が基枠１のネジ孔１３の部位に位置する。この結果、外周帯８に対して第１アース片９４が接触して相互が電気的に接続される。
【００４８】
また、基枠１に外周帯８を取り付ける際に、図３および図５に示すように第２アース片９５を基枠１と外周帯８との間に挿通する。そして、図５に示すように導電性を有した固定ネジ１０２を外周帯８の通孔８２および基枠１のネジ孔に通す。さらに、基枠１の内部において、固定ネジ１０２を第３アース片９６の上部通孔９６３に通し、電池ケース６３の側部に設けたネジ孔に螺着する。これにより、第２アース片９５は、基枠１と外周帯８との間に挟持されつつ、通孔９５１が基枠１のネジ孔１４の部位に位置する。この結果、外周帯８に対して第２アース片９５が接触して相互が電気的に接続される。さらに、固定ネジ１０２を介して外周帯８に対して第３アース片９６が電気的に接続される。
【００４９】
次に、基枠１に前カバー２を取り付ける。この際、図４に示すように導電性を有する固定ネジ１０３を前カバー２の通孔２２および第１アース片９４の前側接触部９４１に通して基枠１のネジ孔１３に螺着する。これにより、第１アース片９４は、前側接触部９４１が基枠１と外周帯８との間に挟持されて基枠１に対して取り付けられる。この結果、前カバー２に対して第１アース片９４が接触して相互が電気的に接続される。
【００５０】
また、基枠１に前カバー２を取り付ける際、図４および図５に示すように導電性を有する固定ネジ１０４を前カバー２の通孔２３および第２アース片９５の通孔９５１に通して基枠１のネジ孔１４に螺着する。これにより、第２アース片９５は、通孔９５１の部位が基枠１と外周帯８との間に挟持されて基枠１に対して取り付けられる。この結果、前カバー２に対して第２アース片９５が接触して相互が電気的に接続される。
【００５１】
また、基枠１に前カバー２を取り付けたとき、アース部材９の接触部９２が前カバー２の内面に接触する。この結果、接触部９２を介してアース部材９と前カバー２とが電気的に接続される。
【００５２】
最後に、基枠１に後カバー３を取り付ける。この際、図４に示すように固定ネジ１０５を基枠１の各通孔１５にそれぞれ通し、後カバー３のネジ孔３６に螺着する。このとき、第１アース片９４は、後側接触部９４２が後カバー３の基材３１と被覆体３２との間に嵌挿される。また、第２アース片９５は、後側接触部９５２が後カバー３の基材３１と被覆体３２との間に嵌挿される。さらに、第３アース片９６は、後側接触部９６２が後カバー３の内側（前側）の面に設けた後板３５に接触する。この結果、後カバー３の被覆体３２に対して第１アース片９４および第２アース片９５が接触して相互が電気的に接続される。また、第３アース片９６は、後カバー３の後板３５に接触して相互が電気的に接続される。
【００５３】
すなわち、アース部材９は、前カバー２に電気的に接続される。また、第１アース片９４は、前カバー２、外周帯８、および後カバー３の被覆体３２に電気的に接続される。さらに、第２アース片９５は、前カバー２、外周帯８、および後カバー３の被覆体３２に電気的に接続される。この第２アース片９５は、外周帯８および固定ネジ１０２を介して第３アース片９６にも電気的に接続される。そして、第３アース片９６は、電気部６のグランドラインＧに電気的に接続されるとともに、後カバー３の後板３５に電気的に接続される。
【００５４】
このため、上述した構成では、レンズ装置５におけるレンズ鏡筒５１の導電性部５１４に対して人体から伝わった静電気は、当該導電性部５１４に最も近接して設けたアース部材９の突起部９１に伝搬する。そして、この静電気は、アース部材９の接触部９２→前カバー２→第１アース片９４および第２アース片９５→外周帯８→第３アース片９６→グランドラインＧと伝搬してグランドに落ちる。この結果、レンズ鏡筒５１の導電性部５１４に伝わる静電気を確実に所定のグランドに落とすことが可能になる。また、導電性部５１４に最も近接して突起部９１を設けたことにより、静電気の伝搬が突起部９１に集中するので、確実に静電気をグランドに落とすことが可能になる。また、突起部９１を複数設けたことにより、移動に際してレンズ鏡筒５１の位置にズレがあった場合でもいずれかの突起部９１を最も近接した位置にできるので、確実に静電気をグランドに落とすことが可能になる。
【００５５】
また、上述した構成では、レンズ鏡筒５１の導電性部５１４に近接する態様でアース部材９（突起部９１）を設けているので、導電性部５１４に接触する構成がない。この結果、レンズ鏡筒５１が移動する際に移動抵抗を生じる事態を防ぐことが可能である。また、上述したカメラでは、導電性を有する外装カバー（前カバー２・後カバー３）を介して静電気を伝搬してグランドに落としているので、従来技術のごとくレンズ鏡筒５１の内部にフレキシブル基板を設けて静電気をグランドに落とす必要がない。この結果、レンズ鏡筒５１を構成する部品点数を増すことがない。
【００５６】
また、上述した構成では、レンズ鏡筒５１の導電性部５１４からアース部材９の突起部９１に伝搬した静電気が、前カバー２を含み後カバー３の被覆体３２や後板３５に伝搬してグランドラインＧに伝搬してグランドに落ちる。この結果、静電気が伝搬する沿面距離を多くしてグランドに落ちる以前に静電気を減衰させることが可能になる。また、レンズ鏡筒５１のみならず、前カバー２、後カバー３および外周帯８に伝わった静電気をも確実にグランドに落とすことが可能である。
【００５７】
また、上述した構成では、導電性部５１４が、レンズ鏡筒５１の全周面に設けてあって、全移動範囲においてアース部材９の突起部９１に対して近接する態様で設けてある。この結果、レンズ鏡筒５１の全ての移動範囲において導電性部５１４から伝わった静電気を確実にグランドに落とすことが可能である。また、導電性部５１４は、レンズ鏡筒５１を構成する主鏡枠５１１および副鏡枠５１２に互いに近接して設けてあるので、相互で伝わった静電気を伝搬するので、いずれの導電性部５１４に伝わった静電気でも確実にグランドに落とすことが可能である。さらに、主鏡枠５１１および副鏡枠５１２の相互間において、導電性部５１４を近接する態様で設けているので、相互の導電性部５１４に接触する構成がない。この結果、レンズ鏡筒５１の主鏡枠５１１および副鏡枠５１２が移動する際に移動抵抗を生じる事態を防ぐことが可能である。
【００５８】
また、上述した構成では、アース部材９がバリア部７（レンズバリア７１）に電気的に接続してある。このため、カメラの非撮影時（携帯時）に、基枠１の内部に収納されたレンズ鏡筒５１の前側を覆う被覆位置にあるレンズバリア７１に伝わった静電気は、アース部材９の接触部９２→前カバー２→第１アース片９４および第２アース片９５→外周帯８→第３アース片９６→グランドラインＧと伝搬してグランドに落ちる。この結果、レンズバリア７１に伝わる静電気をも確実に所定のグランドに落とすことが可能になる。
【００５９】
なお、上述した実施の形態では、本願発明のレンズ装置をカメラに適用した例を示したが、カメラ単体以外の携帯電話機やＰＤＡ（Ｐｅｒｓｏｎａｌ  Ｄｉｇｉｔａｌ  Ａｓｓｉｓｔａｎｔｓ）などの携帯機器のカメラ部に適用しても当然よい。
【図面の簡単な説明】
【００６０】
【図１】本発明に係る実施の形態のカメラのレンズ鏡筒を延ばした状態を示す横断面図である。
【図２】図１に示したカメラのレンズ鏡筒を縮めた状態を示す横断面図である。
【図３】図１に示したカメラの前カバーを外した状態の前面図である。
【図４】図１に示したカメラの分解斜視図である。
【図５】図１に示したカメラの別方向から見た分解斜視図である。
【符号の説明】
【００６１】
１    基枠
１１    挿通孔
１３，１４    ネジ孔
１５    通孔
２    前カバー
２１    開口
２２，２３    通孔
３    後カバー
３１    基材
３２    被覆体
３３    撮像表示体
３３１    透明板
３４    操作部
３４１    操作部基板
３５    後板
３６    ネジ孔
５    レンズ装置
５１    レンズ鏡筒
５１１    主鏡枠
５１２    副鏡枠
５１３    レンズ
５１４    導電性部
５１５    パッキン材
５３    撮像素子
６    電気部
６１    画像処理基板
６２    電源基板
６３    電池ケース
６４    コンデンサ
７    バリア部
７１    レンズバリア
７２    案内ロッド
７３    バリア支持部
８    外周帯
８１，８２    通孔
９    アース部材
９１    突起部
９２    接触部
９３    連結部
９４    第１アース片
９４１    前側接触部
９４２    後側接触部
９４３    通孔
９５    第２アース片
９５１    通孔
９５２    後側接触部
９５３    中央接触部
９６    第３アース片
９６１    グランド通孔
９６２    後側接触部
９６３    上部通孔
１００，１０１，１０２，１０３，１０４，１０５    固定ネジ
Ｇ    グランドライン
Ｓ    光軸
【図１】
2006153993.tif 000003
【図２】
2006153993.tif 000004
【図３】
2006153993.tif 000005
【図４】
2006153993.tif 000006
【図５】
2006153993.tif 000007